(57)【要約】【課題】  耐震性が高く、かつ熟練を要さずに確実な施工を能率良く行うことのできる、天井施工用クリップを提供する。【解決手段】  建築構造体に支持された長尺形状の野縁受け８の下方に、長尺形状の野縁９を、前記野縁受け８と直交するように取り付けるための天井施工用クリップ１Ａであって、野縁９の側壁部９２，９２間に配置可能な寸法に形成された底板部２と、この底板部２の両側端において一対のリップ部９３，９３を掛止しうる一対のリップ掛止部３，３と、底板部２から上方向に立ち上げられた背面板部４と、この背面板部４の野縁受け８の高さに相当する高さ位置から略直角方向に延出された天板部５と、この天板部５に開口されてなるボルト挿通孔６と、このボルト挿通孔６に対向する底板部２に形成されてなる雌ねじ孔７とを有する。【選択図】  図２
2017214751.tif 000002
【特許請求の範囲】
【請求項１】
建築構造体に支持された長尺形状の野縁受けの下方に、底壁部と、この底壁部の両側縁から上方に立ち上げられた一対の側壁部と、これら一対の側壁部の上端から互いに近接する方向に張り出した一対のリップ部とを備えてなる長尺形状の野縁を、前記野縁受けと直交するように取り付けるための天井施工用クリップであって、
前記野縁の側壁部間に配置可能な寸法に形成された底板部と、この底板部の両側端において一対の前記リップ部を掛止しうる一対のリップ掛止部と、前記底板部から上方向に立ち上げられた背面板部と、この背面板部の前記野縁受けの高さに相当する高さ位置から略直角方向に延出された天板部と、この天板部に開口されてなるボルト挿通孔と、このボルト挿通孔に対向する前記底板部に形成されてなる雌ねじ孔とを有する、前記天井施工用クリップ。
【請求項２】
前記天板部は、上下平行に配置された下方天板部と上方天板部とで構成されており、前記下方天板部には前記ボルト挿通孔が形成されているとともに、前記上方天板部には前記ボルト挿通孔と同軸上に雌ねじ孔が形成されており、当該雌ねじ孔にボルトが螺合されている、請求項１に記載の天井施工用クリップ。
【発明の詳細な説明】
【技術分野】
【０００１】
本発明は、建築構造体に支持された長尺形状の野縁受けの下方に、長尺形状の野縁を取り付けるための天井施工用クリップに関するものである。
【背景技術】
【０００２】
建築構造体において天井材は、一般的に、次のような構成で支持されている。
【０００３】
まず、建築構造体には、吊りボルト控用インサートまたはアンカー等が設置され、吊りボルトを介して天井施工用ハンガーが設置されている。また、天井施工用ハンガーには、複数本の長尺形状の野縁受けが支持されている。さらに、これら野縁受けの下方には直交するように複数本の長尺形状の野縁が取り付けられている。そして、天井材は、複数本の前記野縁にビス等により固定されている。
【０００４】
天井施工用クリップは、野縁受け下方に直交するように野縁を取り付けるための部材であり、天井施工において重要な部品である。そこで、これまでに天井施工用クリップに関する発明が種々提案されている（特許文献１、特許文献２）。
【０００５】
また、天井施工用クリップについてはＪＩＳ規格（ＪＩＳ Ａ ６５１７）が定められており、当該天井施工用クリップによる野縁受けと野縁との取り付け方法は学会等において様々な規定や方針が定められている（非特許文献１、非特許文献２、非特許文献３）。
【先行技術文献】
【特許文献】
【０００６】
【特許文献１】特開２００４−１３１９２８号公報
【特許文献２】特開２０１４−１５７９９号公報
【非特許文献】
【０００７】
【非特許文献１】文部科学省、「学校施設における天井等落下防止対策のための手引き」、［online］、平成２５年８月、文部科学省、［平成２８年３月１６日検索］、インターネット＜URL:http://www.nier.go.jp/shisetsu/pdf/ceiling_all.pdf＞
【非特許文献２】日本耐震天井施工協同組合、「耐震Ｐｏｗｅｒ天井（ＲＰクリップ仕様）施工要領書」、［online］、２０１２年４月２７日、日本耐震天井施工協同組合、［平成２８年３月１６日検索］、インターネット＜URL:http://www.jacca.or.jp/download-gc/doc/001_taishin_Power_tenjo.pdf＞
【非特許文献３】日本建築学会  非構造材の安全評価及び落下事故防止に関する特別調査委員会、「天井等の非構造材の落下事故防止ガイドライン」、［online］、２０１３年４月４日、日本建築学会、［平成２８年３月１６日検索］、インターネット＜URL:http://www.aij.or.jp/scripts/request/document/20130304.pdf＞
【発明の概要】
【発明が解決しようとする課題】
【０００８】
しかしながら、特許文献１および特許文献２に記載された発明においては、天井施工用クリップを施工時に野縁受けに合わせて略９０°に折り曲げて使用されるが、折り曲げる角度が不十分であったり、吊りボルトに設置された野縁受けを支持する天井施工用ハンガーの施工に不備があったりすると、地震による振動、室内外の温度差により出入口開口時の生じる風圧による天井の上下の揺れ等、種々の振動を受けることにより折り曲げたところが容易に広がって外れやすくなるという問題がある。
【０００９】
そのため、折り曲げ作業を慎重に行う必要があるが、現状、天井に対する天井施工用クリップの設置個数が非常に多く、しかも単純作業であるため迅速に作業することも求められることから、不確実な施工が行われている。また、天井材を野縁に貼るとクリップの施工状態が隠れてしまい目視できなくなるため、不確実な施工が行われたとしてもその瑕疵を事前に見つけることは困難である。
【００１０】
よって、非特許文献１、非特許文献２および非特許文献３等の規定や方針が定められているものの、熟練施工者の人手不足もあって天井施工用クリップの破損による天井材の落下事故が後を絶たない。
【００１１】
本発明は、以上のような問題点を解決するためになされたものであって、耐震性が高く、かつ熟練を要さずに確実な施工を能率良く行うことのできる、天井施工用クリップを提供することを目的としている。
【課題を解決するための手段】
【００１２】
本発明に係る天井施工用クリップは、建築構造体に支持された長尺形状の野縁受けの下方に、底壁部と、この底壁部の両側縁から上方に立ち上げられた一対の側壁部と、これら一対の側壁部の上端から互いに近接する方向に張り出した一対のリップ部とを備えてなる長尺形状の野縁を、前記野縁受けと直交するように取り付けるための天井施工用クリップであって、前記野縁の側壁部間に配置可能な寸法に形成された底板部と、この底板部の両側端において一対の前記リップ部を掛止しうる一対のリップ掛止部と、前記底板部から上方向に立ち上げられた背面板部と、この背面板部の前記野縁受けの高さに相当する高さ位置から略直角方向に延出された天板部と、この天板部に開口されてなるボルト挿通孔と、このボルト挿通孔に対向する前記底板部に形成されてなる雌ねじ孔とを有する。
【００１３】
また、本発明の一実施形態として、前記天板部は、上下平行に配置された下方天板部と上方天板部とで構成されており、前記下方天板部には前記ボルト挿通孔が形成されているとともに、前記上方天板部には前記ボルト挿通孔と同軸上に雌ねじ孔が形成されており、当該雌ねじ孔にボルトが螺合されていてもよい。
【発明の効果】
【００１４】
本発明によれば、耐震性が高く、かつ熟練を要さずに確実な施工を能率良く行うことができる。
【図面の簡単な説明】
【００１５】
【図１】本発明に係る天井施工用クリップの第一実施形態の使用状態を示す斜視図である。
【図２】本第一実施形態の天井施工用クリップを示す斜視図である。
【図３】本実施形態の天井施工用クリップを用いた取り付け方法であって、（ａ）底板部を側壁部間に配置した状態を示す平面図、（ｂ）天井施工用クリップを略４５°回転させた状態を示す平面図および（ｃ）野縁受けを設置しボルトを挿入させる状態を示す正面図である。
【図４】本第一実施形態の天井施工用クリップの使用状態を示す正面図である。
【図５】本発明に係る天井施工用クリップの第二実施形態の使用状態を示す正面図である。
【図６】本実施形態の天井施工用クリップを用いた取り付け方法であって、（ａ）ボルトが上方天板部に螺合されている状態を示す正面図、（ｂ）天井施工用クリップを傾けて底板部を野縁の側壁部間に配置した状態を示す左側面図および（ｃ）野縁受けを設置しボルトを回転させる状態を示す正面図である。
【図７】本発明に係る天井施工用クリップの他の実施形態を示す正面図である。
【図８】本発明に係る天井施工用クリップの他の実施形態を示す正面図である。
【発明を実施するための形態】
【００１６】
以下、本発明に係る天井施工用クリップの第一実施形態について図面を用いて説明する。
【００１７】
まず、天井施工用クリップ１Ａにより取り付けられる野縁受け８および野縁９について、図１を用いて簡単に説明する。
【００１８】
野縁受け８は、長尺形状の部材であり、図１に示すように、吊りボルト１０に天井施工用ハンガー１１を介して支持されている。
【００１９】
これに対し、野縁９は、天井材を貼り付けるための下地材となるものであり、野縁受け８と同様に長尺形状に形成されている。また、野縁９は、底壁部９１と、この底壁部９１の両側縁から上方に立ち上げられた一対の側壁部９２，９２と、これら一対の側壁部９２，９２の上端から互いに近接する方向に張り出した一対のリップ部９３，９３とを備えている。
【００２０】
リップ部９３は、各先端が下方に向けて屈曲されている。リップ部９３，９３間の開口幅は、用途等に応じて適宜選択されるものであるが、例えば、狭いもので略１７ｍｍ、広いもので略４２ｍｍの幅を有する。以下、本第一実施形態の天井施工用クリップ１Ａにおける寸法値は、開口幅略１７ｍｍの野縁用の一例の値である。
【００２１】
本第一実施形態における天井施工用クリップ１Ａは、プレス加工による順送金型で容易に製造されるものであり、図２および図３（ｃ）に示すように、主に、底板部２と、この底板部２に形成されており野縁９のリップ部９３を掛止しうる一対のリップ掛止部３，３と、前記底板部２から上方向に立ち上げられた背面板部４と、この背面板部４から略直角方向に延出された天板部５と、この天板部５に開口されてなるボルト挿通孔６、このボルト挿通孔６に対向する前記底板部２に形成されてなる雌ねじ孔７とを有する。以下、各構成について説明する。
【００２２】
底板部２は、略矩形板状に形成されており、野縁９の側壁部９２，９２間に配置可能な寸法に形成されている。具体的には、図３に示すように、底板部２の角を結ぶ対角線の長さが前記野縁９の側壁部９２，９２間の距離よりも短くなるように形成されている。また、本第一実施形態では、底板部２の一側端が前記野縁９の側壁部９２，９２間で回転する際に邪魔とならないように、図３（ａ）に記載の円形補助線Ａに沿って、円弧状に形成されている。
【００２３】
リップ掛止部３は、底板部２の両短辺から先端が上方に折り曲げられるように形成されている。また、当該リップ掛止部３は、強度を高めるため波形状に形成されている。一対のリップ掛止部３，３同士は、野縁９の一対のリップ部９３，９３を内側から掛止できる間隔で配置されている。また、前記リップ掛止部３においてリップ部９３を支える幅（図３（ｃ）における左右方向の長さ）は、前記リップ部９３に掛止させたときの安定性を高めるためには大きい方がよいが、後述するように施工の際に側壁部９２，９２間で回転させる必要があるため、図３（ｂ）に記載の円形補助線Ｂからはみ出さないように前記側壁部９２，９２間の寸法範囲内に限定して形成されている。
【００２４】
背面板部４は、図３（ｃ）および図４に示すように、野縁受け８の側面に沿って野縁受け８を支持するものであり、前記底板部２から上方向に立ち上げられるように形成されている。本第一実施形態では、図２に示すように、背面板部４の下端側が、側壁部９２，９２間における回転時にリップ部９３に干渉して回転の邪魔にならないように、上端側に比べて細く形成されている。本第一実施形態では、下端側の幅が約９．５ｍｍに形成されている。
【００２５】
天板部５は、野縁受け８の上面側に配置されるものであり、野縁受け８の上面に沿うことができるように、背面板部４における野縁受け８の高さに相当する高さ位置から略直角方向に延出されている。
【００２６】
ボルト挿通孔６は、図３（ｃ）に示すように、天板部５に開口されており、断面略コの字状の野縁受け８の背面側において締結するボルト１２を挿通させるための孔である。
【００２７】
雌ねじ孔７は、ボルト挿通孔６から挿通されたボルト１２を底板部２側で螺合させるため、底板部２における前記ボルト挿通孔６に対向する位置に形成されている。本第一実施形態では、底板部２の所定の箇所にバーリングにて下孔を形成し、タッピング加工することにより形成されている。
【００２８】
また、本第一実施形態におけるボルト１２は、図３（ｃ）に示すように、全ねじのボルトが用いられる。このボルト１２は、回転頭部１２１に座金が固定された、いわゆる座付のボルトである。また、図１および図２に示すように、回転頭部１２１は六角形状とし、その頂部には十字のリセス１２２が形成されている。
【００２９】
次に、本第一実施形態の天井施工用クリップ１Ａにおける各構成の作用について、取り付け方法とともに説明する。
【００３０】
まず、野縁９の側壁部９２，９２間に底板部２を配置する。図３（ａ）に示すように、リップ掛止部３，３同士の幅は野縁９の開口幅よりも広いため、天井施工用クリップ１Ａは、約９０°回転させた状態でリップ部９３，９３間に挿入して配置する。
【００３１】
その後、図３（ａ）および図３（ｂ）に示すように、リップ掛止部３を野縁９のリップ部９３に掛止させるため天井施工用クリップ１Ａを約９０°回転させる。このとき底板部２は、一側端が円弧状に形成されているため、野縁９の側壁部９２に引っかかることなく回転することができる。また、背面板部４は、その下端側の幅が約９．５ｍｍと細くなっているため、回転させてもリップ部９３に干渉せず、回転の邪魔にならない。さらに、図３（ｂ）に記載の円形補助線Ｂから外側にはみ出さないように形成したことにより、リップ掛止部３も野縁９の側壁部９２，９２間に当接せず、回転の邪魔にならない。よって、天井施工用クリップ１Ａは、底板部２を野縁９の側壁部９２，９２間に配置した状態で自由に回転することができる。そして、天井施工用クリップ１Ａを約９０°回転させたところで上方に引き上げて、リップ掛止部３を野縁９のリップ部９３に掛止させる。
【００３２】
このように本第一実施形態の天井施工用クリップ１Ａは、開口幅の狭い野縁９に対して、上方から挿入して回転させ、上方に引き上げることで、容易にリップ掛止部３を野縁９のリップ部９３に掛止させ野縁９を支持することができる。
【００３３】
また、本第一実施形態におけるリップ掛止部３は、リップ部９３に沿って所定の幅を有しているためリップ部９３を点ではなく線で支持することで、天井施工用クリップ１Ａに対する野縁９のぐらつきを抑えることもできる。
【００３４】
次に、野縁受け８を野縁９と天板部５との間に配置し、背面板部４に接するまで挿入する。このとき本第一実施形態では、図４に示すように、略断面コの字状の野縁受け８の開口側を背面板部４側となるように配置しているが、これに限定されるものではなく、図示しないが、前記野縁受け８の閉口側を背面板部４側となるように配置してもよい。
【００３５】
そして、ボルト挿通孔６からボルト１２を挿入し、先端を底板部２に形成されている雌ねじ孔７に螺合させる。ボルト１２は、六角形状の回転頭部１２１をレンチ等により回転させてもよく、回転頭部１２１のリセス１２２を用いてプラスドライバーにより回転させてもよい。
【００３６】
これにより野縁受け８は、図４に示すように、上下方向は野縁９と天板部５とによって挟持され、側面方向にはボルト１２と背面板部４とにより左右の動きが規制される。また、ボルト１２は奥深くまで螺合されて容易には弛むことが無いため、地震による震動程度では外れない。
【００３７】
また、本第一実施形態におけるボルト１２は、座付のボルトのため、座面１２３の一部が野縁受け８にかかるように配置される。そのため、天板部５は、野縁受け８と座面１２３とにより挟持される状態となり、天板部５がボルト１２の締結力や地震等の外力により折れ曲がらないための補強にもなる。
【００３８】
以上のような本第一実施形態の天井施工用クリップ１Ａによれば、以下の効果を得ることができる。
１．施工は、天井施工用クリップ１Ａを野縁９の側壁部９２，９２間で回転させ、ボルト１２を螺合させるだけで完了し熟練を要さないため、だれでも迅速かつ確実に施工を行うことができる。
２．ボルト１２を用いて野縁受け８と野縁９とを強固に固定されることで、耐震性が飛躍的に向上し、地震による震動程度では外れることがなくなる。
【００３９】
次に、本発明に係る天井施工用クリップの第二実施形態について図５および図６を用いて説明する。なお、本第二実施形態の天井施工用クリップ１Ｂのうち、上述した第一実施形態の構成と同等または相当する構成については、再度の説明を省略する。
【００４０】
本第二実施形態における野縁９は、開口幅が約４２ｍｍのものである。そのため、本第二実施形態におけるリップ掛止部３，３同士は、第一実施形態に比べて離れた位置で上方に折り曲げられている。
【００４１】
また、本第二実施形態における背面板部４は、野縁受け８を支持するときの安定性を高めるためには幅は広い方がよいが、後述するように施工の際に前後方向（図６（ｃ）における左右方向）に傾けながら側壁部９２，９２間に配置させるため、背面板部４の幅はリップ部９３に当接しない寸法範囲に限定して形成されている。本第二実施形態では、背面板部４の幅が約３０ｍｍに形成されている。
【００４２】
本第二実施形態における天板部５は、図５に示すように、上下平行に配置された下方天板部５１と上方天板部５２とで構成されている。下方天板部５１は、第一実施形態における天板部５と同様、ボルト挿通孔６が形成されている。
【００４３】
一方、上方天板部５２は、前記下方天板部５１の先端から延出された延出部分を上方に折り返されることにより、下方天板部５１の上方に配置されている。また、前記ボルト挿通孔６と同軸上に雌ねじ孔５３が形成されている。当該上方天板部５２の雌ねじ孔５３は、底板部２に形成された雌ねじ孔７と同様に、所定の箇所にバーリングにて下孔を形成し、タッピング加工することにより形成されている。
【００４４】
また、上方天板部５２の先端側には、支持突出部５４が折り曲げ形成されており、その寸法は下方天板部５１に折り返されたことによって形成される隙間に相当する長さを備えている。
【００４５】
さらに、本第二実施形態の天井施工用クリップ１Ｂには、図６（ａ）に示すように、上方天板部５２の雌ねじ孔５３に予めボルト１２が螺合されており、速やかに当該ボルト１２による締結作業が進められるようになっている。なお、前記ボルト１２は、先端側が雄ねじ１２４で、基端側が雄ねじの無い軸部１２５であるいわゆる半ねじのボルトである。前記軸部１２５は、上方天板部５２の雌ねじ孔５３に挿通可能にするため当該雌ねじ孔５３の内径よりも細く形成されている。
【００４６】
次に、本第二実施形態の天井施工用クリップ１Ｂにおける各構成の作用について、取り付け方法とともに説明する。
【００４７】
本第二実施形態の天井施工用クリップ１Ｂは、図６（ａ）に示すように、ボルト１２が螺合された状態である。よって、天井施工用クリップ１Ｂを一体的な一つの部品として施工作業を行うことができる。
【００４８】
前記天井施工用クリップ１Ｂを野縁９に掛止させる場合、野縁９の開口幅が大きく寸法的に余裕があるため、図６（ｂ）に示すように、底板部２を傾けながら野縁９の側壁部９２，９２間に配置することができる。このとき、背面板部４は、傾けてもリップ部９３に当接しない寸法の約３０ｍｍに形成されているため、前記天井施工用クリップ１Ｂは背面板部４をリップ部９３に干渉させずに側壁部９２，９２間に配置することができる。
【００４９】
そして、天井施工用クリップ１Ｂを垂直に起こし、回転させずに上に引き上げることにより、リップ掛止部３が野縁９のリップ部９３に掛止する。その後、図６（ｃ）に示すように、野縁受け８を野縁９と下方天板部５１との間に配置し、背面板部４に接するまで挿入する。そして、ボルト１２が予め上方天板部５２に螺合されているため、そのまま回転させて上方天板部５２の雌ねじ孔５３を貫通させるとともに、底板部２の雌ねじ孔７に螺合させればよい。この際、上方天板部５２の先端側に形成された支持突出部５４により上方天板部５２と下方天板部５１との平行が保たれているため、ボルト１２の先端を底板部２の雌ねじ孔７に螺合させやすい。
【００５０】
このように本第二実施形態の天井施工用クリップ１Ｂによれば、ボルト１２を予め備えることで、一部品としての作業が可能となるためより効率の良い施工を行うことができるという効果を得ることができる。また、天板部５を下方天板部５１と上方天板部５２の二重構造にしたため、天板部５の強度が増すという効果も得ることができる。
【００５１】
なお、本発明に係る天井施工用クリップは、前述した各実施形態に限定されるものではなく、適宜変更することができる。例えば、図７に示すように、第一実施形態のような天板部５が１枚の天井施工用クリップにおいて、開口幅が広い野縁９を支持させるため、リップ掛止部３の幅を長く形成してもよい。また、図８に示すように、第二実施形態のような天板部５が２枚の天井施工用クリップにおいて、開口幅が狭い野縁９を支持させるため、底板部２の一側端を円弧状とするとともに、背面板部４の下端側を細くし、リップ掛止部３の幅を狭くして回転可能な構成にしてもよい。
【符号の説明】
【００５２】
１Ａ，１Ｂ  天井施工用クリップ
２  底板部
３  リップ掛止部
４  背面板部
５  天板部
６  ボルト挿通孔
７  雌ねじ孔
８  野縁受け
９  野縁
１０  吊りボルト
１１  天井施工用ハンガー
１２  ボルト
５１  下方天板部
５２  上方天板部
５３  雌ねじ孔
５４  支持突出部
９１  底壁部
９２  側壁部
９３  リップ部
１２１  回転頭部
１２２  リセス
１２３  座面
１２４  雄ねじ
１２５  軸部
【図１】
2017214751.tif 000003
【図２】
2017214751.tif 000004
【図３】
2017214751.tif 000005
【図４】
2017214751.tif 000006
【図５】
2017214751.tif 000007
【図６】
2017214751.tif 000008
【図７】
2017214751.tif 000009
【図８】
2017214751.tif 000010
【手続補正書】
【提出日】平成28年9月29日(2016.9.29)
【手続補正１】
【補正対象書類名】特許請求の範囲
【補正対象項目名】全文
【補正方法】変更
【補正の内容】
【特許請求の範囲】
【請求項１】
建築構造体に支持された長尺形状の野縁受けの下方に、底壁部と、この底壁部の両側縁から上方に立ち上げられた一対の側壁部と、これら一対の側壁部の上端から互いに近接する方向に張り出した一対のリップ部とを備えてなる長尺形状の野縁を、前記野縁受けと直交するように取り付けるための天井施工用クリップであって、
前記野縁の側壁部間内に配置可能な寸法に形成された底板部と、この底板部の両側端より上方に折り曲げられて一対の前記リップ部を掛止しうる一対のリップ掛止部と、前記底板部から上方向に立ち上げられた背面板部と、この背面板部の前記野縁受けの高さに相当する高さ位置から略直角方向に延出された天板部と、この天板部に開口されてなるボルト挿通孔と、このボルト挿通孔に対向する前記底板部に形成されてなる雌ねじ孔とを有する、前記天井施工用クリップ。
【請求項２】
前記天板部は、上下平行に配置された下方天板部と上方天板部とで構成されており、前記下方天板部には前記ボルト挿通孔が形成されているとともに、前記上方天板部には前記ボルト挿通孔と同軸上に雌ねじ孔が形成されており、当該雌ねじ孔にボルトが螺合されている、請求項１に記載の天井施工用クリップ。
【手続補正書】
【提出日】平成28年12月19日(2016.12.19)
【手続補正１】
【補正対象書類名】特許請求の範囲
【補正対象項目名】全文
【補正方法】変更
【補正の内容】
【特許請求の範囲】
【請求項１】
建築構造体に支持された長尺形状の野縁受けの下方に、底壁部と、この底壁部の両側縁から上方に立ち上げられた一対の側壁部と、これら一対の側壁部の上端から互いに近接する方向に張り出した一対のリップ部とを備えてなる長尺形状の野縁を、前記野縁受けと直交するように取り付けるための天井施工用クリップであって、
前記野縁の側壁部間内に配置可能な寸法に形成されているとともに前記リップ部より下方位置に配置される底板部と、この底板部の両側端より上方に折り曲げられて一対の前記リップ部を掛止しうる一対のリップ掛止部と、前記底板部から上方向に立ち上げられた背面板部と、この背面板部の前記野縁受けの高さに相当する高さ位置から略直角方向に延出された天板部と、この天板部にボルトを挿通するために開口されてなるボルト挿通孔と、このボルト挿通孔に挿通された前記ボルトを螺合させるために前記底板部の前記ボルト挿通孔に対向する位置に形成されてなる雌ねじ孔とを有しており、
前記ボルト挿通孔に挿通された前記ボルトを前記雌ねじ孔に螺合することにより、そのボルトの外周側面と前記背面板部とによって前記野縁受けの左右側面方向の動きを規制し、かつ、前記天板部と前記リップ部とによって前記野縁受けの上下面を狭持する、前記天井施工用クリップ。
【請求項２】
前記天板部は、上下平行に配置された下方天板部と上方天板部とで構成されており、前記下方天板部には雌ねじのない前記ボルト挿通孔が形成されており、かつ、前記上方天板部には前記ボルト挿通孔と同軸上に雌ねじ孔が形成されているとともに、当該雌ねじ孔に予めボルトが螺合されており、このボルトが基端側に雄ねじのない軸部を有するとともにこの軸部は前記雌ねじ孔の内径よりも細い寸法に形成されている、請求項１に記載の天井施工用クリップ。